(57)【要約】【課題】本発明の目的は、ユーザがサービスを利用していない際のＯＮＵスリープ機能による省電力効果を向上し、また、新しい制御プロトコルが普及した際にも柔軟に対応可能とする代理処理装置を提供することである。【解決手段】本発明に係る代理処理装置は、ユーザの利用サービスの体感品質に関わらないフレームに対してＯＮＵよりも上位の装置で代理処理を行い、ユーザがサービスを利用していない際に、当該フレームがＯＮＵに到着する数を減じ、ＯＮＵスリープ機能による省電力効果を高めることとした。【選択図】図４
2014127862.tif 000002
【特許請求の範囲】
【請求項１】
光加入者線終端装置（ＯＬＴ：Ｏｐｔｉｃａｌ  Ｌｉｎｅ  Ｔｅｒｍｉｎａｌ）とトラヒック非流通時に消費電力を低減する省電力機能を有する光ネットワーク終端装置（ＯＮＵ：Ｏｐｔｉｃａｌ  Ｎｅｔｗｏｒｋ  Ｕｎｉｔ）とを光ファイバ伝送路を介して接続して光信号で送受信する光通信システムの前記ＯＬＴ側に配置され、
前記ＯＬＴと前記ＯＮＵとの間で処理される所定通信について、前記ＯＮＵへの信号転送を止め、前記ＯＮＵの代理として処理する代理処理機能を有する代理処理装置。
【請求項２】
代理処理機能は、
前記ＯＮＵの代理として処理する前記所定通信を前記ＯＮＵの配下の各端末から登録／解除されることを特徴とする請求項１に記載の代理処理装置。
【請求項３】
代理処理機能は、
前記ＯＮＵの代理として処理する前記所定通信を前記ＯＬＴの上位側から一括登録／解除されることを特徴とする請求項１に記載の代理処理装置。
【請求項４】
代理処理機能は、
前記所定通信が含む固有の信号パターンと前記所定通信に対する処理内容が登録され、前記ＯＬＴからの光信号に前記信号パターンが含まれているときに前記処理内容を実行することを特徴とする請求項１から３のいずれかに記載の代理処理装置。
【請求項５】
代理処理機能は、
前記ＯＬＴと前記ＯＮＵとの間で処理されている前記所定通信をモニタし、前記所定通信についての処理内容を保存し、前記ＯＮＵの代理として処理する際に保存した処理内容を行うことを特徴とする請求項１から４のいずれかに記載の代理処理装置。
【請求項６】
前記処理内容が前記所定通信の信号の廃棄であることを特徴とする請求項４に記載の代理処理装置。
【請求項７】
前記処理内容が、前記所定通信の信号の送信先の識別子を抜き出し、前記識別子を送信元として応答信号を作成し、前記応答信号を前記所定通信の送信元へ送信することを特徴とする請求項４に記載の代理処理装置。
【請求項８】
代理処理機能は、
前記ＯＮＵの代理として処理を開始してから所定時間経過後に前記処理を終了することを特徴とする請求項１から７のいずれかに記載の代理処理装置。
【請求項９】
代理処理機能は、
前記ＯＮＵの代理として処理を開始した後に終了通知を前記ＯＮＵ配下の端末又は前記ＯＬＴの上位側から受信することで前記処理を終了することを特徴とする請求項１から７のいずれかに記載の代理処理装置。
【請求項１０】
代理処理機能は、
前記ＯＮＵがスリープ状態であるときのみ前記ＯＮＵの代理として処理することを特徴とする請求項１から７のいずれかに記載の代理処理装置。
【発明の詳細な説明】
【技術分野】
【０００１】
本発明は、光加入者線終端装置（ＯＬＴ：Ｏｐｔｉｃａｌ  Ｌｉｎｅ  Ｔｅｒｍｉｎａｌ）及び光ネットワーク終端装置（ＯＮＵ：Ｏｐｔｉｃａｌ  Ｎｅｔｗｏｒｋ  Ｕｎｉｔ）を光ファイバ伝送路を介して接続して、光信号により送受信する光通信システムにおける低消費電力化技術に関する。
【背景技術】
【０００２】
光ネットワークは、１つのＯＬＴが、１つあるいは複数のＯＮＵと、光ファイバ伝送路を介してポイントツーポイントあるいはポイントツーマルチポイントの通信を行う光通信システムである。当該光通信システムをＰＯＮ（ｐａｓｓｉｖｅ  ｏｐｔｉｃａｌ  ｎｅｔｗｏｒｋ）と表現することもある。
【０００３】
（ＰＯＮの低消費電力化手法）
光ネットワークの低消費電力化のために、データトラヒックがない場合にＯＮＵの主要機能を停止させるＯＮＵスリープ機能が議論されている。その中でも、サイクリックスリープやＤｏｚｅと呼ばれる手法は、ＩＴＵ−ＴのＧ．９８７．３やＩＥＥＥ  Ｐ１９０４．１などによって標準化が進められており、ＯＮＵの低消費電力化の有効な手法として期待されている。
【０００４】
（ＰＯＮの構成）
関連技術の光通信システム３０１の構成を図１に示す。光通信システム３０１は、ＯＬＴ４、ＯＮＵ５、光ファイバ伝送路３及び光スプリッタ１０から構成される。ＯＬＴ４は、ロジック部４１、送受信部４２及びＳＮＩ（Ｓｅｒｖｉｃｅ  Ｎｏｄｅ  Ｉｎｔｅｒｆａｃｅ）物理層部４３から構成される。ＯＮＵ５は、ロジック部５１、送受信部５２及びＵＮＩ（Ｕｓｅｒ  Ｎｅｔｗｏｒｋ  Ｉｎｔｅｒｆａｃｅ）物理層部５３から構成される。
【０００５】
（サイクリックスリープ開始の契機）
サイクリックスリープでは、上りのデータトラヒックがないことをロジック部５１のＵＮＩ監視によって確認し、下りのデータトラヒックがないことをロジック部４１のＳＮＩ監視によって確認し、ロジック部５１及びロジック部４１がその旨のメッセージを交換する。ロジック４１によってスリープ制御を行い、ロジック部５１によって状態切替を行い、ＯＮＵ５は起床状態からスリープ状態に移行する。
【０００６】
（サイクリックスリープ終了の契機）
サイクリックスリープでは、スリープ中にＯＮＵ５に上りトラヒックが入力されると、ＯＮＵ５はスリープ状態を解除しデータ疎通を開始する。ＯＮＵ５はスリープ中に上りトラヒック入力がない場合でも、あらかじめ決められたスリープ継続時間の後にスリープ継続確認のために起動する。スリープ中にＯＮＵ５あての下りトラヒックがＯＬＴ４へ入力されていた場合は、スリープ継続確認時にＯＬＴ４は下りトラヒックありのメッセージをＯＮＵ５に送信し、ＯＮＵ５はスリープ中止を判断し下りデータの受け取りを開始する。スリープ中にＯＮＵ５あての下りトラヒックがＯＬＴ４へ入力されていない場合は、ＯＮＵ５は再びスリープに入る。
【０００７】
（サイクリックスリープの定常的動作）
上記のように、トラヒックがない場合には、スリープへの移行とトラヒック確認の起動を周期的に繰り返すので、このスリープ方式をサイクリックスリープと呼ぶ。
【０００８】
（Ｄｏｚｅ開始の契機）
Ｄｏｚｅでは、上りのデータトラヒックがないことをロジック部５１のＵＮＩ監視によって確認し、ロジック部５１及びロジック部４１がその旨のメッセージを交換する。ロジック４１によってスリープ制御を行い、ロジック部５１によって状態切替を行い、ＯＮＵ５は起床状態からスリープ状態に移行する。
【０００９】
（Ｄｏｚｅとサイクリックスリープの差）
サイクリックスリープがＯＮＵの上り送受機能および下り受信機能に関わる部位に対する給電を停止するのに対し、Ｄｏｚｅでは下り受信機能に関わる部位に対する給電は停止せず、上り送信機能に関わる部位に対する給電を停止する。このため、Ｄｏｚｅはサイクリックスリープに比べて下りのデータトラヒックへの遅延が小さく、原理的にはＯＬＴとＯＮＵ間のメッセージ交換を行わなくても実現可能である。
【００１０】
（Ｄｏｚｅ終了の契機）
Ｄｏｚｅでは、スリープ中にＯＮＵ５に上りトラヒックが入力されると、ＯＮＵ５はスリープ状態を解除しデータ疎通を開始する。また、一定時間ＯＮＵからＯＬＴに対する通信が全く行われないと、タイムアウトが発生しＯＮＵ−ＯＬＴ間のリンクが切断される恐れがあるため、リンク再確立時の遅延やフレームロスを避けるために、スリープ中に上りトラヒックが入力されなくても、ＯＮＵ５はタイムアウト発生前にスリープ状態を解除し、起床状態に移行する。
【先行技術文献】
【非特許文献】
【００１１】
【非特許文献１】久保亮吾、可児淳一、藤本幸洋、吉本直人、雲崎清美、省電力機能を搭載した１０ギガクラスＰＯＮシステムの性能解析、電子情報通信学会信学技報、ＣＳ２００９−２、ｐｐ．７−１２．
【非特許文献２】ＩＴＵ−Ｔ  Ｒｅｃｏｍｍｅｎｄａｔｉｏｎｓ  Ｇ−ｓｅｒｉｅｓ  ｓｕｐｐｌｅｍｅｎｔ４５：ＧＰＯＮ  Ｐｏｗｅｒ  Ｃｏｎｓｅｒｖａｔｉｏｎ，２００９年５月
【非特許文献３】Ｗａｎ−Ｋｉ  Ｐａｒｋ，  Ｃｈａｎｇ−ｓｉｃ  Ｃｈｏｉ，  Ｉｌ−ｗｏｏ  Ｌｅｅ  ａｎｄ  Ｊｏｎｇｈｙｕｎ  Ｊａｎｇ，“Ｅｎｅｒｇｙ  Ｅｆｆｉｃｉｅｎｔ  Ｍｕｌｔｉ−Ｆｕｎｃｔｉｏｎ  Ｈｏｍｅ  Ｇａｔｅｗａｙ  ｉｎ  Ａｌｗａｙｓ−Ｏｎ  Ｈｏｍｅ  Ｅｎｖｉｒｏｎｍｅｎｔ”，ＩＥＥＥ  Ｔｒａｎｓａｃｔｉｏｎｓ  ｏｎ  Ｃｏｎｓｕｍｅｒ  Ｅｌｅｃｔｒｏｎｉｃｓ，  Ｖｏｌ．５６，Ｎｏ．１、ＦＥＢＲＵＡＲＹ  ２０１０
【発明の概要】
【発明が解決しようとする課題】
【００１２】
（能動的利用時以外にＯＮＵが起床する課題）
しかしながら、ユーザが能動的にインターネットやＶｏＩＰ（Ｖｏｉｃｅ  ｏｖｅｒ  ＩＰ）などのサービスを利用していない間も、ＯＮＵ配下の通信装置がＯＮＵを通じて通信を行うことがある。この場合、ＯＮＵを起床させるため、スリープ状態に滞在する時間が減少し、結果としてＯＮＵスリープ機能による省電力効果が減少することになる。
【００１３】
（ＯＮＵ配下の通信装置の具体例）
ユーザが利用していない間にＯＮＵを起床させてしまう、ＯＮＵ配下の通信装置は、具体的にはブロードバンドルータやホームゲートウェイ、コンピュータ、ゲーム機、情報家電などをはじめとする、情報通信手段を持った様々な装置である。
【００１４】
（ＯＮＵを起床させてしまう具体例）
例として、ブロードバンドルータはＰＰＰｏＥ（ＰＰＰ  ｏｖｅｒ  Ｅｔｈｅｒｎｅｔ（登録商標））リンク再確立時の遅延を避けるために、定期的に制御パケットを送信することでリンクを維持する機能を有する。この制御パケットは一般的に数秒から数十秒の一定周期で送信され、その度にＯＮＵを起床させてしまう。また、このような定期的なパケット送信は、例示したブロードバンドルータだけではなく、ＯＮＵ配下の様々な通信機能を有する装置によって行われる可能性があるため、ＯＮＵスリープ機能による省電力効果は著しく低下する。
【００１５】
（ＯＮＵ上をパケットが通過するプロキシ）
このような課題に対し、非特許文献３では、ＯＮＵの配下で特定の制御メッセージを処理する専用の制御部をホームゲートウェイ装置に内蔵するという提案を行っている。これにより、制御メッセージのみ交換が行われている際には、専用の制御部のみを起動させ、残りをスリープさせて省電力化を図るという提案である。
【００１６】
（ＯＮＵ上をパケットが通過するプロキシの課題）
しかしながら、ホームゲートウェイ装置にこうした専用制御部を実装しても、パケットはＯＮＵを通過するため、ＯＮＵの省電力効果は向上しない。また、ホームゲートウェイ装置等の宅内装置は導入総数が多いため、新規導入後、新しい制御プロトコルに対応するための変更が困難であるという課題がある。
【００１７】
そこで、前記課題を解決するために、本発明は、ユーザがサービスを利用していない際のＯＮＵスリープ機能による省電力効果を向上し、また、新しい制御プロトコルを導入する際にも柔軟に対応可能とする代理処理装置を提供することを目的とする。
【課題を解決するための手段】
【００１８】
上記目的を達成するために、本発明に係る代理処理装置は、ユーザの利用サービスの体感品質に関わらない制御信号に対してＯＮＵよりも上位の装置で代理処理を行い、ユーザがサービスを利用していない際に、当該制御信号がＯＮＵに到着する数を減じ、ＯＮＵのスリープ機能による省電力効果を高めることとした。なお、以下の説明では、当該制御信号を「フレーム」、「パケット」、又は単に「信号」と記載することがある。
【００１９】
具体的には、本発明に係る代理処理装置は、ＯＬＴとトラヒック非流通時に消費電力を低減する省電力機能を有するＯＮＵとを光ファイバ伝送路を介して接続して光信号で送受信する光通信システムの前記ＯＬＴ側に配置され、前記ＯＬＴと前記ＯＮＵとの間で処理される所定通信について、前記ＯＮＵへの信号転送を止め、前記ＯＮＵの代理として処理する代理処理機能を有する。
【００２０】
本代理処理装置は、光通信システムの保守のための所定通信について、信号をＯＮＵ側へ転送せず、自らがＯＮＵの代理として処理することでＯＮＵの起床を抑制する。また、本代理処理装置は、ＯＬＴ側に配置されるので、新しい制御プロトコルが導入された場合でも変更箇所が限られており、制御プロトコルの変更が容易である。従って、本発明は、ユーザがサービスを利用していない際のＯＮＵスリープ機能による省電力効果を向上し、また、新しい制御プロトコルが普及した際にも柔軟に対応可能とする代理処理装置を提供することができる。
【００２１】
本発明に係る代理処理装置の代理処理機能は、前記ＯＮＵの代理として処理する前記所定通信を前記ＯＮＵの配下の各端末から登録／解除されることを特徴とする。ＯＮＵに接続される装置の仕様に応じて代理可能な処理内容を個別に設定することができる。
【００２２】
本発明に係る代理処理装置の代理処理機能は、前記ＯＮＵの代理として処理する前記所定通信を前記ＯＬＴの上位側から一括登録／解除されることを特徴とする。ＯＬＴや上位の装置から一括して代理可能な処理内容を設定することができる。
【００２３】
本発明に係る代理処理装置の代理処理機能は、前記所定通信が含む固有の信号パターンと前記所定通信に対する処理内容が登録され、前記ＯＬＴからの光信号に前記信号パターンが含まれているときに前記処理内容を実行することを特徴とする。
【００２４】
本発明に係る代理処理装置の代理処理機能は、前記ＯＬＴと前記ＯＮＵとの間で処理されている前記所定通信をモニタし、前記所定通信についての処理内容を保存し、前記ＯＮＵの代理として処理する際に保存した処理内容を行うことを特徴とする。
【００２５】
本発明に係る代理処理装置は、前記処理内容が前記所定通信の信号の廃棄であることを特徴とする。
【００２６】
本発明に係る代理処理装置は、前記処理内容が、前記所定通信の信号の送信先の識別子を抜き出し、前記識別子を送信元として応答信号を作成し、前記応答信号を前記所定通信の送信元へ送信することを特徴とする。
【００２７】
本発明に係る代理処理装置の代理処理機能は、前記ＯＮＵの代理として処理を開始してから所定時間経過後に前記処理を終了することを特徴とする。
【００２８】
本発明に係る代理処理装置の代理処理機能は、前記ＯＮＵの代理として処理を開始した後に終了通知を前記ＯＮＵ配下の端末又は前記ＯＬＴの上位側から受信することで前記処理を終了することを特徴とする。
【００２９】
本発明に係る代理処理装置の代理処理機能は、前記ＯＮＵがスリープ状態であるときのみ前記ＯＮＵの代理として処理することを特徴とする。
【発明の効果】
【００３０】
本発明は、ユーザがサービスを利用していない際のＯＮＵスリープ機能による省電力効果を向上し、また、新しい制御プロトコルが普及した際にも柔軟に対応可能とする代理処理装置を提供することができる。
【図面の簡単な説明】
【００３１】
【図１】本発明に関連する光通信システムの構成を示す図である。
【図２】本発明に関連する光通信システムの構成を示す図である。
【図３】本発明に関連する光通信システムを用いたキープアライブの構成を示す図である。
【図４】本発明に係る代理処理装置の構成を示す図である。
【図５】本発明に係る代理処理装置の構成を示す図である。
【図６】本発明に係る代理処理装置の構成を示す図である。
【図７】本発明に係る代理処理装置を備える光通信システムを説明する図である。
【発明を実施するための形態】
【００３２】
以下、図面を用いて本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３３】
（関連する光通信システム）
本発明に関連する光通信システム３０２の構成を図２に示す。光通信システム３０２は、ＯＬＴ１、ＯＮＵ２及び光ファイバ伝送路３から構成される。図２において、１つのＯＬＴ１及び１つのＯＮＵ２が、光ファイバ伝送路３を介して、ポイントツーポイントで接続されているが、図１のように、１つのＯＬＴ１及び複数のＯＮＵ２が、光ファイバ伝送路３及び光スプリッタ１０を介して、ポイントツーマルチポイントで接続されてもよい。
【００３４】
ＯＬＴ１は、トラヒックモニタ１１、バッファ１２、送受信部１３、受信部１４、送信部１５、スリープ判断部１６、上位側送受信部１７から構成される。
【００３５】
下りトラヒックは、上流側から、上位側送受信部１７、トラヒックモニタ１１、バッファ１２、送信部１５及び送受信部１３を介して、ＯＮＵ２に伝送される。上りトラヒックは、ＯＮＵ２から、送受信部１３、受信部１４、バッファ１２及び上位側送受信部１７を介して、上流側に伝送される。
【００３６】
トラヒックモニタ１１は、ＯＮＵ２宛の下りトラヒックがあるかどうかを監視する。そして、下りトラヒックの統計量をスリープ判断部１６に通知する。下りトラヒックの統計量は例えば、フレームの到着間隔や、到着フレーム数、到着フレームの優先度、到着フレームのサイズ、などが挙げられる。バッファ１２は、スリープ判断部１６からの後述のスリープ開始指令を受けて、下りトラヒックを出力することなく蓄積する。そして、スリープ判断部１６からの後述のスリープ解除指令を受けて、蓄積している下りトラヒックを出力する。
【００３７】
スリープ判断部１６は、下りトラヒックの統計量をトラヒックモニタ１１から通知される。そして、下りトラヒックの統計量がスリープを開始する条件に合致している場合に、スリープ開始メッセージをバッファ１２に出力する。スリープを開始する条件は例えば、優先度の高いフレームが一定時間到着していないことや、低優先度も含めてユーザデータが一定時間到着していないことや、到着フレーム数が一定数以下であることなどが挙げられる。
【００３８】
そして、下りトラヒックの統計量がスリープを停止する条件に合致している場合にスリープ解除メッセージをバッファ１２に出力する。スリープを停止する条件は例えば、優先度の高いフレームが到着したことや、到着フレーム数が一定数以上であることや、スリープを開始してから一定時間の経過などが挙げられる。
【００３９】
また、スリープ判断部１６は、スリープ開始からスリープ停止までの間にＯＮＵ２から、ＯＮＵ２が起床していることを通知された時に、スリープ解除メッセージをバッファ１２に出力してもよい。
【００４０】
ＯＮＵ２は、トラヒックモニタ２１、バッファ２２、送受信部２３、送信部２４、受信部２５、スリープ指示部２６及びスリープメッセージ生成受取部２７から構成される。
【００４１】
下りトラヒックは、ＯＬＴ１から、送受信部２３及び受信部２５を介して、下流側に伝送される。上りトラヒックは、下流側から、トラヒックモニタ２１、バッファ２２、送信部２４及び送受信部２３を介して、ＯＬＴ１に伝送される。
【００４２】
トラヒックモニタ２１は、上りトラヒックがあるかどうかを監視する。そして、上りトラヒックがあることをスリープ指示部２６に通知する。バッファ２２は、スリープ指示部２６からの後述のスリープ開始指令を受けて、スリープ状態に移行する。そして、スリープ指示部２６からの後述のスリープ解除指令を受けて、起床状態に移行する。
【００４３】
スリープ指示部２６は、上りトラヒックがあることをトラヒックモニタ２１から通知される。そして、スリープ解除指令をバッファ２２、スリープメッセージ生成受取部２７及びスリープ可能な各ブロックに出力する。スリープ指示部２６は、スリープ開始の旨をスリープメッセージ生成受付部２７から通知される。そして、スリープ開始指令をバッファ２２及びスリープ可能な各ブロックに出力する。スリープ指示部２６は、下りトラヒックありの旨をスリープメッセージ生成受付部２７から通知される。そして、スリープ解除指令をバッファ２２及びスリープ可能な各ブロックに出力する。
【００４４】
スリープメッセージ生成受取部２７は、スリープ指示部２６からのスリープ解除指令を受けて、ＯＮＵ２の起床の旨のメッセージを生成して、送信部２４に出力する。スリープメッセージ生成受取部２７は、ＯＬＴ１からのスリープ開始の旨のメッセージを受けて、スリープ開始の旨をスリープ指示部２６に通知する。スリープメッセージ生成受取部２７は、ＯＬＴ１からの下りトラヒックありの旨のメッセージを受けて、下りトラヒックありの旨をスリープ指示部２６に通知する。
【００４５】
ＯＮＵ２は、スリープ状態に移行してから上りトラヒックを受信することなくスリープ継続時間を経るたびに、スリープ状態から起床状態に移行し、下りトラヒックがあるかどうかを確認する。そして、下りトラヒックがないと確認したときには、起床状態からスリープ状態に再度移行する。しかし、下りトラヒックがあると確認したときには、スリープ状態を終了させる。これをサイクリックスリープという。
【００４６】
（上りのキープアライブパケット生成端末）
図３は、本発明に関連する光通信システム３０３を説明する図である。また、図７は、光通信システム３０３の具体例である。光通信システム３０３は、ＯＮＵ２の配下に、直接もしくは中継端末を介して下位側キープアライブパケット生成端末６が接続される。下位側キープアライブパケット生成端末６は、定期的にキープアライブパケットを生成し、ＯＮＵ２及びＯＬＴ１を介して上位ネットワークにキープアライブパケットを送信する。
【００４７】
下位側キープアライブパケット生成端末６の例としてブロードバンドルータが挙げられる。ブロードバンドルータは、インターネット接続事業者（ＩＳＰ）とＰＰＰ（ＰＰＰｏＥ）のセッションを保持し続けるために、キープアライブとしてＰＰＰｏＥのパケットを定期的に送信する。ＰＰＰｏＥのセッションを保持すると、再度セッションを確立するための手続きを省くことができる。また、割り当てられたＩＰアドレスを利用し続けることができるため、アプリケーションがＩＰアドレスに関わる再初期化をするための手続きを省くことができる。
【００４８】
（上りのキープアライブパケット生成端末）
また、ＯＬＴ１より上位に、直接もしくは中継端末２０を介して上位側キープアライブパケット生成端末７が接続される。上位側キープアライブパケット生成端末７は、定期的にキープアライブパケットを生成し、ＯＬＴ１及びＯＮＵ２をを介してキープアライブパケットを送信する。
【００４９】
上位側キープアライブパケット生成端末７の例として、ＰＰＰｏＥ用のサーバが挙げられる。ＰＰＰｏＥ用のサーバは、接続しているＰＰＰリンクの逆の端点、つまりブロードバンドルータなどに向けて、定期的にキープアライブパケットを送信する。パケットの応答がなく、ＰＰＰリンクが切断していると判断した場合は、リンクを維持するために必要なリソースを解放するので、リソースを節約することができる。
【００５０】
［実施形態１］
図４は、本実施形態の代理処理装置８を含む光通信システム３０４を説明する図である。代理処理装置８は、ＯＬＴ１とトラヒック非流通時に消費電力を低減する省電力機能を有するＯＮＵ２とを光ファイバ伝送路３を介して接続して光信号で送受信する光通信システム３０４のＯＬＴ１に配置され、ＯＬＴ１とＯＮＵ２との間で処理される所定通信について、ＯＮＵ２への信号転送を止め、ＯＮＵ２の代理として処理する代理処理機能を有する。代理処理装置８は、フレーム代理処理テーブル８４と、フレーム代理処理制御部８５から構成される。そして、本実施形態では、代理処理装置８はＯＬＴ１に内蔵される。
【００５１】
スリープ判断部１６は、ＯＮＵ２がスリープを開始する条件を満たした際に、バッファ１２にだけでなく、フレーム代理処理制御部８５にもスリープ開始指示を送る。フレーム代理処理制御部８５は、ＯＮＵ２がスリープ状態の時に、バッファ１２の下り向けフレームを参照し、フレーム代理処理テーブル８４に記載された条件と合致するフレームに対して、フレーム代理処理テーブル８４に記載された代理処理を行う。
【００５２】
代理処理装置８は、代理処理を委譲される際、フレーム代理処理テーブル８４に、代理処理の内容など代理処理を行うために必要な情報を保持しておく必要がある。これらの情報は、キープアライブの必要なセッションを確立する際に、キープアライブパケット生成端末６が代理処理装置８に必要な情報を通知してもよいし、代理処理装置８の上位サーバーから一括して配信してもよい。代理処理装置８が代理処理を行うのに必要な情報は、具体的には、キープアライブパケットの種別を示す値やパケットのフォーマットなどが例として挙げられる。
【００５３】
例えば、ＰＰＰプロトコルのキープアライブパケットであるＬＣＰ  ＥＣＨＯパケットは、プロトコルフィールドに０ｘ２１が設定され、ヘッダ部のＣｏｄｅフィールド（８ビット）にエコー要求やエコー応答が設定されているため、これらのフィールドの位置と値を代理処理テーブル８４に保持しておくことで、合致するパケットのみに対して代理応答を行うことが可能である。
【００５４】
代理処理装置８は、代理処理を委譲される際もしくは代理処理を継続する際に、最大の委譲時間を設定し、更新されない限りは委譲時間がタイムアウトした場合、委譲された代理処理を停止する。委譲時間は、代理処理装置８が設定してもよいし、キープアライブパケット生成端末６が代理処理装置８に対して通知してもよい。また、代理処理装置８の上位サーバーから一括して委譲時間を配信してもよい。タイムアウトを設定することにより、代理処理テーブルとして必要なメモリ量を小さくすることができる。
【００５５】
また、ＯＮＵ２、キープアライブパケット生成端末６、又はＯＬＴ１の上位のサーバは、任意の時刻に終了通知を送信することで代理処理装置８の代理処理の委譲を終了させてもよい。
【００５６】
また、代理処理装置８は、ＯＮＵ２がスリープ状態にある時に、代理処理テーブル８４に登録されていたパターンと一致するフレームを受信した際に、代理処理テーブル８４の指示に従って代理処理を行う。
【００５７】
代理処理装置８は、当該フレームについて代理処理テーブル８４の処理内容が破棄であれば、ＯＬＴ１に対して当該フレームを破棄させ、ＯＮＵ２へ当該フレームを送信させないようにする。具体的には、特定のＩＰに対する問い合わせを行うＡＲＰリクエストパケットやＤＨＣＰ  ＡＣＫパケットを受信した際に、返答を行わずにパケットを破棄することが挙げられる。ＯＮＵ２の配下に存在しないアドレスに対する問い合わせであれば、返答を返せないのでＡＲＰリクエストパケットをＯＮＵ２に転送する必要がない。また、ＤＨＣＰサーバから割り当てられるアドレスが変更されていなければ、ＤＨＣＰ  ＡＣＫパケットをＯＮＵ２に転送する必要がない。
【００５８】
代理処理装置８は、当該フレームについて代理処理テーブル８４の処理内容が受信したフレームに対する返答であれば、代理処理テーブル８４に従って適切なフレームを生成して返答を行い、ＯＮＵ２に対して当該フレームを送信しない。例えば、代理処理テーブル８４の処理内容は、所定通信のフレームから送信先の識別子を抜き出し、識別子を送信元として応答信号を作成し、応答信号を所定通信の送信元へ送信、とすることができる。具体的には、ＰＰＰｏＥのキープアライブのパケットに対しての応答や、ＡＲＰに対する返答を行うことが挙げられる。
【００５９】
これらの応答は、応答手順を代理処理テーブルに記述して実現してもよいし、ＯＮＵ２がスリープしていない時間にＯＮＵ２が応答した応答信号そのものを代理処理テーブル８４に保存し、その信号をコピーすることで実現してもよい。
【００６０】
上記のように、代理処理装置８が代理処理を行うことによって、ＯＮＵ２は定期的に受信していた光通信システムの保守に関する信号を受信しなくなるので、起床する必要がなくなる。このため、ＯＮＵのスリープ時間を長く取ることができ、消費電力低減効果が高まる。
【００６１】
［実施形態２］
本実施形態の構成は、図４と同じである。
実施形態１では、代理処理を行う契機がフレームの受信であったのに対して、本実施形態では、定期的に代理処理を行う例を説明する。
【００６２】
代理処理テーブル８４の内容が、定期的に信号を送信する処理であれば、代理処理装置８は定期的に信号を生成し送信する。具体的には、ＤＨＣＰを用いて以前割り当てられたアドレスのリースを延長し続ける例が挙げられる。キープアライブパケット生成端末６は、代理処理の委譲時に、取得済みのアドレスを代理処理装置８に通知し、代理処理装置８は取得済みアドレスを用いて定期的にＤＨＣＰリクエストパケットをＤＨＣＰサーバに送信する。このパケットにより、ＤＨＣＰサーバは上記取得済みアドレスの期限を更新できるので、キープアライブパケット生成端末６はＯＮＵ２を介さずに取得済みアドレスを利用し続けることができる。
【００６３】
上記のように、代理処理装置８が代理処理を行うことによって、ＯＮＵ２は定期的に送信する必要があった光通信システムの保守に関する信号を送信する必要がなるので、起床する必要がなくなる。このため、ＯＮＵのスリープ時間を長く取ることができ、消費電力低減効果が高まる。
【００６４】
［実施形態３］
図５は、本実施形態の代理処理装置９を含む光通信システム３０５を説明する図である。本実施形態では、代理処理装置９がＯＬＴ１の外部にある例を説明する。代理処理装置９は、フレーム代理処理テーブル８４と、フレーム代理処理制御部８５と、バッファ９２と、送受信部９１から構成される。
【００６５】
バッファ１２は、スリープ判断部１６からスリープ開始指示を受けると、ＯＮＵ２宛のフレームを、フレーム代理処理装置９の送受信部９１に向けて送信する。フレーム代理処理制御部８５は、バッファ９２の下り向けフレームを参照し、フレーム代理処理テーブル８４に記載された条件と合致するフレームに対して、フレーム代理処理テーブル８４に記載された代理処理を行う。
【００６６】
実施形態１では、ＯＮＵ２がスリープ中にＯＬＴ１が受信したＯＮＵ２宛のフレームを、ＯＬＴ１内のバッファ１２に格納していたのに対して、本実施形態では、それらのフレームをフレーム代理処理装置９に転送する。
【００６７】
フレーム代理処理装置９は、フレーム代理処理テーブル８４に合致するフレームに対しては代理処理を行い、合致しないフレームはＯＬＴ１に送り返す。この処理により、代理処理装置９をＯＬＴ１に内蔵しない場合であっても代理処理対象でないフレームを正常に処理することができる。
【００６８】
ＯＬＴ１と代理処理装置９との間のフレーム転送は、ＯＬＴ１に主信号用以外のインターフェース１８を設けてもよいし、振り分け機能を用いてＯＬＴの主信号用のインターフェース１３を介し、代理処理装置９との間でフレームを転送してもよい。
【００６９】
［他の実施形態］
図６は、本実施形態の代理処理装置９’を含む光通信システム３０５を説明する図である。本実施形態の代理処理装置９’はＯＬＴ１とＯＮＵ２との間の光ファイバ伝送路３の途中に配置される。本実施形態でも、ＯＬＴ１は、ＯＮＵ２のスリープ中に受信したＯＮＵ２宛の制御信号を代理処理装置９’に転送する。ＯＮＵ２がスリープ中の代理処理装置９’の動作は実施形態３と同様である。なお、ＯＮＵ２が起床している場合、代理処理装置９’はフレームをＯＬＴ１からＯＮＵ２へ、及びＯＮＵ２からＯＬＴ１へ通過させる。
【００７０】
以下は、本実施形態の代理処理装置を説明したものである。
＜課題＞
従来、ユーザ自身がなんらサービスを利用していない場合でも、ＯＮＵの配下に接続された通信機器が、保守上のアクションとして上位側にパケットを送信する場合がある。スリープ中のＯＮＵは、これらパケットの処理のため、再起する必要が生じることから、省電力効果が著しく低下する場合があった。
【００７１】
＜解決手段＞
（１）：宅内光ネットワーク装置の配下に接続される１つ以上の通信機器の代理として、フレームを処理するフレーム代理処理装置であって、
前記宅内光ネットワーク装置はトラヒック非流通時に消費電力を低減する省電力機能を備え、
前記代理処理装置は、フレーム代理処理テーブルと、フレーム代理処理制御部と、フレーム送受信部を備え、
前記フレーム代理処理制御部は、フレーム代理処理テーブルに従って代理処理を行うことを特徴とするフレーム代理処理装置。
【００７２】
（事前個別登録方式）
（２）：上記（１）に記載のフレーム代理処理テーブルは、宅内光ネットワーク装置の配下に接続される通信機器が処理内容を登録および解除することを特徴とする、請求項１に記載のフレーム代理処理装置。
【００７３】
（サーバから一括設定方式）
（３）：上記（１）に記載のフレーム代理処理テーブルは、請求項１に記載のフレーム代理処理装置よりも上位の装置から処理内容が配信されることを特徴とする、請求項１に記載のフレーム代理処理装置。
【００７４】
（パターンマッチング方式）
（４）：上記（１）に記載のフレーム代理処理テーブルは、受信したフレームのマッチング条件と処理内容が記載され、条件に該当したフレームにのみ代理処理を行うことを特徴とする、請求項１に記載のフレーム代理処理装置。
【００７５】
（スヌーピング＆キャッシュ方式）
（５）：上記（１）に記載の代理処理装置は、代理処理テーブルが示す条件に該当するフレームを受信した際に当該フレームを保存し、保存したフレームを基にフレーム送信を行うことを特徴とする代理処理装置。
【００７６】
（代理破棄）
（６）：上記（１）に記載の代理処理装置は、代理処理テーブルが示す条件に該当するフレームを受信した際に、フレーム破棄を行うことを特徴とする代理処理装置。
【００７７】
（代理エコー）
（７）：上記（１）に記載の代理処理装置は、代理処理テーブルが示す条件に該当するフレームを受信した際に、代理処理元である宅内光ネットワーク装置配下の通信装置を示す識別子を、送信するフレーム内の送信元を示すフィールドに書き込んで、受信フレームに対して応答することを特徴とする代理処理装置。 
【００７８】
（タイムアウトによる代理終了）
（８）：上記（１）に記載の代理処理装置は、更に代理処理終了のためのタイマーを備え、代理処理を開始してから、タイマーが再セットされない限り一定時間のみ代理処理を行うことを特徴とする代理処理装置。
【００７９】
（ネゴシエーションによる代理終了）
（９）：上記（１）に記載の代理処理装置は、代理処理を開始してから、代理処理終了の通知を受けるまで代理処理を行うことを特徴とする代理処理装置。
【００８０】
（スリープ状態時にのみ代理を行う）
（１０）：上記（１）に記載の代理処理装置は、宅内光ネットワーク装置がスリープ状態か否かの通知を受け、スリープ状態の時にのみ代理処理を行うことを特徴とする代理処理装置。
【００８１】
＜効果＞
本発明は、スリープ中のＯＮＵが存在する場合に、ＯＬＴにおいてＯＮＵ配下に接続された通信機器の保守上のパケットを代理で処理することで、従来よりも更なる低消費電力化を実現できる。
【産業上の利用可能性】
【００８２】
本発明に係る光通信システム及び光加入者線終端装置は、ＯＬＴ及びＯＮＵを備えるＰＯＮにおける低消費電力化技術として適用することができる。
【符号の説明】
【００８３】
１、４：ＯＬＴ
２、５：ＯＮＵ
３：光ファイバ伝送路
６：下位側キープアライブ生成端末
７：上位側キープアライブ生成端末
８、９：代理処理装置
１０：光スプリッタ
１１：トラヒックモニタ
１２：バッファ
１３：送受信部
１４：受信部
１５：送信部
１６：スリープ判断部
１７：上位送受信部
１８：インターフェース
２０：中継端末
２１：トラヒックモニタ
２２：バッファ
２３：送受信部
２４：送信部
２５：受信部
２６：スリープ指示部
２７：スリープメッセージ生成受取部
４１：ロジック部
４２：送受信部
４３：ＳＮＩ物理層部
５１：ロジック部
５２：送受信部
５３：ＵＮＩ物理層部
６１、６２：送受信部
８４：フレーム代理処理テーブル
８５：フレーム代理処理制御部
９１：送受信部
９２：バッファ
１００：フレーム代理処理装置用伝送路
１１０：光ファイバ伝送路
３０１〜３０６：光通信システム
【図１】
2014127862.tif 000003
【図２】
2014127862.tif 000004
【図３】
2014127862.tif 000005
【図４】
2014127862.tif 000006
【図５】
2014127862.tif 000007
【図６】
2014127862.tif 000008
【図７】
2014127862.tif 000009